【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
画像の鮮鋭化処理方法において、
第１のサンプリング間隔でサンプリングし、第１の離散化画像を作成するステップと、
第２の離散化の為のサンプリング間隔及びサンプリング格子の傾きを算出するステップと、
前記第１の離散化画像から前記第２の離散化の為のサンプリング間隔およびサンプリング格子の傾きを用いて第２の離散化画像を作成するステップと、
前記作成した第２の離散化画像に対して鮮鋭化処理演算を施すステップと、
前記処理演算を施した画像を、再度前記第１の離散化画像と同じサンプリング格子のデータとして離散化するステップとを有することを特徴とする画像処理方法。
【請求項２】
前記第２の離散化の為のサンプリング間隔およびサンプリング格子の傾きは、撮像した画像の光学中心からサンプリングを行う位置までの距離と方向に基づいて算出することを特徴とする請求項１に記載の画像処理方法。
【請求項３】
前記処理演算は線形フィルタを用いた処理であることを特徴とする請求項１または２に記載の画像処理方法。
【請求項４】
前記線形フィルタの係数の行列は、行、列、対角方向の少なくとも１方向について、同一の係数を有するように設定されていることを特徴とする請求項３に記載の画像処理方法。
【請求項５】
前記第２の離散化の為のサンプリング間隔およびサンプリング格子の傾きを算出するステップが、
光学系による点像分布関数を２値化するステップと、
前記２値化された光学系による点像分布関数の互いに異なる所定の２方向の長さの比率を算出するステップとを含んでいることを特徴とする請求項１乃至４のいずれか１つに記載の画像処理方法。
【請求項６】
前記第２の離散化の為のサンプリング間隔およびサンプリング格子の傾きを算出するステップが、
光学系による点像分布関数の２次元のフーリエ変換を行うステップと、
前記２次元フーリエ変換像の異なる所定の２方向のパワースペクトルの所定周波数までの積分値の比率を算出するステップとを含んでいることを特徴とする請求項１乃至４のいずれか１つに記載の画像処理方法。
【請求項７】
前記第２の離散化の為のサンプリング間隔およびサンプリング格子の傾きを算出するステップが、
互いに異なる２方向のＳＦ値を算出するステップを含んでいることを特徴とする請求項１乃至４のいずれか１つに記載の画像処理方法。
【請求項８】
画像の鮮鋭化処理装置において、
第１のサンプリング間隔でサンプリングし、第１の離散化画像を作成する手段と、
第２の離散化の為のサンプリング間隔及びサンプリング格子の傾きを算出する手段と、
前記第１の離散化画像から前記第２の離散化の為のサンプリング間隔およびサンプリング格子の傾きを用いて第２の離散化画像を作成する手段と、
前記作成した第２の離散化画像に対して鮮鋭化処理演算を施す手段と、
前記処理演算を施した画像を、再度前記第１の離散化画像と同じサンプリング格子のデータとして離散化する手段とを有することを特徴とする画像処理装置。
【請求項９】
前記第１のサンプリング間隔でサンプリングされた画像に対して、前記サンプリングされた画像の位置と、前記第２の離散化の為のサンプリング間隔およびサンプリング格子の傾きのパラメータをそれぞれ関連付けて記憶する手段を備えていることを特徴とする請求項８記載の画像処理装置。
【請求項１０】
前記処理演算は線形フィルタを用いた処理であることを特徴とする請求項８または９に記載の画像処理装置。
【請求項１１】
前記線形フィルタの係数の行列は、行、列、対角方向の少なくとも１方向について、同一の係数を有するように設定されていることを特徴とする請求項１０に記載の画像処理装置。
【手続補正２】
【補正対象書類名】明細書
【補正対象項目名】００２１
【補正方法】変更
【補正の内容】
【００２１】
【課題を解決するための手段】
本発明の第１の態様は、画像の鮮鋭化処理方法において、第１のサンプリング間隔でサンプリングし、第１の離散化画像を作成するステップと、第２の離散化の為のサンプリング間隔及びサンプリング格子の傾きを算出するステップと、前記第１の離散化画像から前記第２の離散化の為のサンプリング間隔およびサンプリング格子の傾きを用いて第２の離散化画像を作成するステップと、前記作成した第２の離散化画像に対して鮮鋭化処理演算を施すステップと、前記処理演算を施した画像を、再度前記第１の離散化画像と同じサンプリング格子のデータとして離散化するステップとを有する。
【手続補正３】
【補正対象書類名】明細書
【補正対象項目名】００２２
【補正方法】変更
【補正の内容】
【００２２】
また、本発明の第２の態様は、第１の態様において、前記第２の離散化の為のサンプリング間隔およびサンプリング格子の傾きは、撮像した画像の光学中心からサンプリングを行う位置までの距離と方向に基づいて算出する。
【手続補正４】
【補正対象書類名】明細書
【補正対象項目名】００２３
【補正方法】変更
【補正の内容】
【００２３】
また、本発明の第３の態様は、第１または第２の態様において、前記処理演算は線形フィルタを用いた処理である。
【手続補正５】
【補正対象書類名】明細書
【補正対象項目名】００２４
【補正方法】変更
【補正の内容】
【００２４】
また、本発明の第４の態様は、第３の態様において、前記線形フィルタの係数の行列は、行、列、対角方向の少なくとも１方向について、同一の係数を有するように設定されている。
【手続補正６】
【補正対象書類名】明細書
【補正対象項目名】００２５
【補正方法】変更
【補正の内容】
【００２５】
また、本発明の第５の態様は、第１乃至第４のいずれか１つに記載の態様において、前記第２の離散化の為のサンプリング間隔およびサンプリング格子の傾きを算出するステップが、光学系による点像分布関数を２値化するステップと、前記２値化された光学系による点像分布関数の互いに異なる所定の２方向の長さの比率を算出するステップとを含んでいる。
【手続補正７】
【補正対象書類名】明細書
【補正対象項目名】００２６
【補正方法】変更
【補正の内容】
【００２６】
また、本発明の第６の態様は、第１乃至第４のいずれか１つの態様において、前記第２の離散化の為のサンプリング間隔およびサンプリング格子の傾きを算出するステップが、光学系による点像分布関数の２次元のフーリエ変換を行うステップと、前記２次元フーリエ変換像の異なる所定の２方向のパワースペクトルの所定周波数までの積分値の比率を算出するステップとを含んでいる。
【手続補正８】
【補正対象書類名】明細書
【補正対象項目名】００２７
【補正方法】変更
【補正の内容】
【００２７】
また、本発明の第７の態様は、第１乃至第４のいずれか１つの発明において、前記第２の離散化の為のサンプリング間隔およびサンプリング格子の傾きを算出するステップが、互いに異なる２方向のＳＦ値を算出するステップを含んでいる。
【手続補正９】
【補正対象書類名】明細書
【補正対象項目名】００２８
【補正方法】変更
【補正の内容】
【００２８】
また、第８の態様は、画像の鮮鋭化処理装置において、第１のサンプリング間隔でサンプリングし、第１の離散化画像を作成する手段と、第２の離散化の為のサンプリング間隔及びサンプリング格子の傾きを算出する手段と、前記第１の離散化画像から前記第２の離散化の為のサンプリング間隔およびサンプリング格子の傾きを用いて第２の離散化画像を作成する手段と、前記作成した第２の離散化画像に対して鮮鋭化処理演算を施す手段と、前記処理演算を施した画像を、再度前記第１の離散化画像と同じサンプリング格子のデータとして離散化する手段とを有する。
【手続補正１０】
【補正対象書類名】明細書
【補正対象項目名】００２９
【補正方法】変更
【補正の内容】
【００２９】
また、本発明の第９の態様は、第８の態様において、前記第１のサンプリング間隔でサンプリングされた画像に対して、前記サンプリングされた画像の位置と、前記第２の離散化の為のサンプリング間隔およびサンプリング格子の傾きのパラメータをそれぞれ関連付けて記憶する手段を備えている。
また、本発明の第１０の態様は、第８または第９の態様において、前記処理演算は線形フィルタを用いた処理である。
また、本発明の第１１の態様は、第１０の態様において、前記線形フィルタの係数の行列は、行、列、対角方向の少なくとも１方向について、同一の係数を有するように設定されている。